【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
ポータブルタッチセンシティブコンピューティングシステムであって、
第１のタッチセンシティブディスプレイと、
第２のタッチセンシティブディスプレイと、
前記第１のタッチセンシティブディスプレイおよび前記第２のタッチセンシティブディスプレイと動作可能に接続したメモリサブシステムおよび処理サブシステムと、
前記ポータブルタッチセンシティブコンピューティングシステムの前記メモリサブシステムに含まれるコンテンツページとのユーザ相互作用を制御するための、前記メモリサブシステムに記憶可能な、かつ前記処理サブシステムにより実行可能なユーザインタフェース命令であって、前記ユーザ相互作用は、前記第１のタッチセンシティブディスプレイおよび前記第２のタッチセンシティブディスプレイを介して発生し、前記ユーザインタフェース命令により制御され、それにより、前記第１のタッチセンシティブディスプレイおよび前記第２のタッチセンシティブディスプレイは、前記コンテンツページに関して別個に編成されたインタフェースユニットとして動作し、前記第１のタッチセンシティブディスプレイが、ナビゲーションおよび構造化ユーザインタフェースコントロール機能を提供し、前記第２のタッチセンシティブディスプレイが、前記構造化ユーザインターフェースコントロール機能がなく、前記コンテンツページを編集するための自由形式の入力を受信し、処理するためのタッチセンシティブな自由形式のインタフェースを提供するユーザインタフェース命令と
を備えることを特徴とするポータブルタッチセンシティブコンピューティングシステム。
【請求項２】
前記第１のタッチセンシティブディスプレイが、前記コンテンツページの１つを修正するためのＵＩ負荷の編集インタフェースを提供し、同時に前記第２のタッチセンシティブディスプレイが、ペンタイプの装置から受信したタッチ入力を介して、前記コンテンツページの前記１つを修正するための負荷のない自由形式の編集インタフェースを提供するよう、前記ユーザインタフェース命令、前記第１のタッチセンシティブディスプレイ、および前記第２のタッチセンシティブディスプレイを構成することを特徴とする請求項１に記載のシステム。
【請求項３】
前記ペンタイプの装置から受信した前記タッチ入力を解釈し、前記タッチ入力により、前記コンテンツページの前記１つに複数の所定の修正の内の１つを行うよう、前記ユーザインタフェース命令を構成することを特徴とする請求項２に記載のシステム。
【請求項４】
前記コンテンツページが、前記第１のタッチセンシティブディスプレイか前記第２のタッチセンシティブディスプレイのいずれかまたは両方に適用されるハンドタッチのスワイプ入力を介してナビゲート可能であるように、および特に、前記コンテンツページの第２のものが、前記ＵＩ負荷の編集インタフェースおよび前記負荷のない自由形式の編集インタフェースを介して編集するために前記第１のタッチセンシティブディスプレイおよび前記第２のタッチセンシティブディスプレイ上に表示されるよう、前記コンテンツページの前記１つが、前記ハンドタッチのスワイプナビゲーションを介して置換可能であるように、前記ユーザインタフェース命令、前記第１のタッチセンシティブディスプレイ、および前記第２のタッチセンシティブディスプレイを構成することを特徴とする請求項２に記載のシステム。
【請求項５】
前記第１のタッチセンシティブディスプレイが、前記コンテンツページのナビゲート可能オーバービューを提供し、同時に前記第２のタッチセンシティブディスプレイが、ペンタイプの装置から受信したタッチ入力を介して、前記コンテンツページの１つを修正するための負荷のない自由形式の編集インタフェースを提供するよう、前記ユーザインタフェース命令、前記第１のタッチセンシティブディスプレイ、および前記第２のタッチセンシティブディスプレイを構成することを特徴とする請求項１に記載のシステム。
【請求項６】
前記ペンタイプの装置から受信した前記タッチ入力を解釈し、前記タッチ入力により、前記コンテンツページの前記１つに複数の所定の修正の内の１つを行うよう、前記ユーザインタフェース命令を構成することを特徴とする請求項５に記載のシステム。
【請求項７】
前記ナビゲート可能オーバービューは、前記第１のタッチセンシティブディスプレイに適用されるタッチスワイプ入力を介して進めることができることを特徴とする請求項６に記載のシステム。
【請求項８】
前記ポータブルタッチセンシティブコンピューティングシステムは、ヒンジを介して第２の本体部に接続した第１の本体部を有する本体であって、前記第１のタッチセンシティブディスプレイを、前記第１の本体部に配置し、前記第２のタッチセンシティブディスプレイを前記第２の本体部に配置する本体をさらに備えることを特徴とする請求項１に記載のシステム。
【請求項９】
前記ポータブルタッチセンシティブコンピューティングシステムの回転位置の変更に応じて、前記第１のタッチセンシティブディスプレイおよび前記第２のタッチセンシティブディスプレイ上の表示物に対して、横向きと縦向きとの間で自動切り替えを行うよう、前記ユーザインタフェース命令を構成することを特徴とする請求項１に記載のシステム。
【請求項１０】
ポータブルタッチセンシティブコンピューティングシステムが実行するユーザインタフェース方法であって、
第１のタッチセンシティブディスプレイおよび第２のタッチセンシティブディスプレイを介して、前記ポータブルタッチセンシティブコンピューティングシステム上に記憶されたコンテンツページへのアクセスおよび前記コンテンツページとの相互作用を提供するステップと、
前記第１のタッチセンシティブディスプレイおよび前記第２のタッチセンシティブディスプレイ上における前記コンテンツページの提示を制御するステップであって、前記第１のタッチセンシティブディスプレイおよび前記第２のタッチセンシティブディスプレイは、前記コンテンツページに関して別個に編成されたインタフェースユニットとして動作し、前記第１のタッチセンシティブディスプレイが、ナビゲーションおよび構造化ユーザインタフェースコントロール機能を提供し、同時に前記第２のタッチセンシティブディスプレイが、前記コンテンツページを修正するための自由形式のユーザ入力を解釈し、処理するタッチセンシティブな自由形式の非構造化インタフェースを提供するステップと、
ペンタイプの装置を用いて前記第２のタッチセンシティブディスプレイに適用されたタッチ入力を受信するステップと、
各前記タッチ入力に対して、前記タッチ入力により前記第２のタッチセンシティブディスプレイ上に表示された前記コンテンツページの１つに、複数の所定の修正のうちの１つを行うように、前記タッチ入力を処理するステップと
を含むことを特徴とするユーザインタフェース方法。
【請求項１１】
前記第１のタッチセンシティブディスプレイ上に、前記コンテンツページのナビゲート可能オーバービューを提供するステップをさらに含むことを特徴とする請求項１０に記載の方法。
【請求項１２】
前記第１のタッチセンシティブディスプレイおよび前記第２のタッチセンシティブディスプレイの両方に、前記コンテンツページの１つを同時に表示するステップであって、前記第１のタッチセンシティブディスプレイを、前記コンテンツページを修正するためのＵＩ負荷のインタフェースとして実装し、前記第２のタッチセンシティブディスプレイを、前記コンテンツページを修正するための非構造化インタフェースとして実装するステップをさらに含むことを特徴とする請求項１０に記載の方法。
【請求項１３】
前記ポータブルタッチセンシティブコンピューティングシステムの方向の変化を感知するステップと、前記第１のタッチセンシティブディスプレイおよび前記第２のタッチセンシティブディスプレイ上に表示されたコンテンツに対して、前記方向の変化に応じて、前記コンテンツの提示を縦向きと横向きとの間で変更するステップとをさらに含むことを特徴とする請求項１０に記載の方法。